(57)【特許請求の範囲】
【請求項１】
エンジン（１７）と、前記エンジンにより駆動される油圧回路（２０）と、前記油圧回路により駆動される油圧作動部（１９）と、前記油圧作動部を動かすための操作指令信号を出力する操作装置（１３，１４，１５）と、前記エンジン、前記油圧回路及び前記操作装置に接続され、前記エンジンがアイドリング運転状態にあるときに前記エンジンを停止させるアイドリングストップ制御と、前記アイドリングストップ制御により前記エンジンを停止させた後に前記エンジンを再始動するエンジン再始動制御とを行う制御装置（２１）と、前記油圧回路の作動を禁止するロック指示信号と前記油圧回路の作動を許可するロック解除指示信号を出力するロック装置（４３）とを備えた作業車両において、  前記制御装置は、前記アイドリングストップ制御により前記エンジンを停止させた後に前記エンジン再始動制御を行う場合、    前記エンジンを再始動する前に、前記ロック装置（４３）から前記ロック指示信号を受けるまで待機し、前記ロック装置（４３）からの前記ロック指示信号に応答して前記油圧回路を作動不能な状態にし（Ｓ６，Ｒ６）、    前記ロック指示信号により前記油圧回路が作動不能な状態にあるとき、所定のトリガ信号を受けて前記エンジンを再始動し（Ｓ７，Ｓ８，Ｒ７，Ｒ８）、    前記エンジンを再始動した後、前記操作装置から前記操作指令信号が入力されていないときに、前記ロック装置（４３）からの前記ロック解除指示信号に応答して前記油圧回路を作動可能な状態に復帰させる（Ｓ９、Ｓ１１，Ｒ９，Ｒ１１）ことを特徴とする作業車両。
【請求項２】
前記所定のトリガ信号が、前記操作装置からの所定の操作指令信号であることを特徴とする請求項１記載の作業車両。
【請求項３】
前記油圧回路を制御するためのパイロット圧油の圧力を制御するパイロット圧制御装置（４６）を更に備え、  前記制御装置は、前記パイロット圧制御装置（４６）を制御して、前記パイロット圧油の圧力を所定の作動閾値より下げることにより前記油圧回路を作動不能な状態にし、前記パイロット圧油の圧力を前記作動閾値より上げることにより前記油圧回路を作動可能な状態に復帰させることを特徴とする請求項１記載の作業車両。
【請求項４】
前記制御装置は、前記油圧回路を作動可能な状態に復帰させる場合、前記パイロット圧油の圧力を漸次に上昇させることを特徴とする請求項３記載の作業車両。
【請求項５】
警音又は警報を出力する警報装置を更に備え、  前記制御装置は、前記油圧回路が作動不能な状態にあるときに前記トリガ信号を受けた場合、前記警報装置から前記警音又は警報が出力された後に、前記エンジンを再始動することを特徴とする請求項１記載の作業車両。
【請求項６】
エンジン（１７）と、前記エンジンにより駆動される油圧回路（２０）と、前記油圧回路により駆動される油圧作動部（１９）と、前記油圧作動部を動かすための操作指令信号を出力する操作装置（１３，１４，１５）と、前記油圧回路の作動を禁止するロック指示信号と前記油圧回路の作動を許可するロック解除指示信号を出力するロック装置（４３）と備えた作業車両において、アイドリングストップ制御により前記エンジンを停止させた後に前記エンジンを再始動するための制御方法において、  前記エンジンを再始動する前に、前記ロック装置（４３）から前記ロック指示信号を受けるまで待機し、前記ロック装置（４３）からの前記ロック指示信号に応答して前記油圧回路を作動不能な状態にするステップ（Ｓ６，Ｒ６）と、  前記油圧回路が作動不能な状態にあるとき、所定のトリガ信号を受けて前記エンジンを再始動するステップ（Ｓ７，Ｓ８，Ｒ７，Ｒ８）と、  前記エンジンを再始動した後、前記操作装置から何の操作指令信号も入力されていないときに、前記ロック装置（４３）からの前記ロック解除指示信号に応答して前記油圧回路を作動可能な状態に復帰させるステップ（Ｓ９、Ｓ１１，Ｒ９，Ｒ１１）とを有することを特徴とするエンジン再始動制御方法。
【発明の詳細な説明】
【技術分野】
【０００１】
本発明は、アイドリングストップ機能とエンジン再始動機能とを備える作業車両、及びそのような作業車両におけるエンジン再始動制御方法に関する。
【背景技術】
【０００２】
最近、省エネルギーや環境保護のために、作業車両のような作業車両にアイドリングストップ制御機能を搭載することが要求されている。アイドリングストップ制御機能とは、作業車両のアイドル状態、すなわちエンジンが作動したままで作業車両が待機する状態、が発生したとき、自動的にエンジンを停止させる機能である。アイドリングストップ機能を備える作業車両が例えば特許文献１及び２に開示されている。【０００３】
【特許文献１】特開２００３−６５０９７号公報
【特許文献２】特開２０００−９６６２７号公報
【０００４】
特許文献１に開示された作業車両では、操作レバーの操作されない状態が設定時間を超えたとき、もしくは操作レバーに付設のスイッチがＯＮ操作されたときに、エンジンのアイドリング運転が自動的に停止される。このエンジン自動停止の後に操作レバーが操作されると、エンジンが自動的に始動される。【０００５】
特許文献２に開示された建設機械は、油圧回路に指令して建設機械を操作するための操作レバーの他に、油圧回路の作動を禁止するロック位置と前記油圧回路の作動を許可するロック解除位置とを切り換えるロックレバーを備える。そのロックレバーがロック位置に切り換えられた時点から所定時間経過したときに、エンジンの運転が自動的に停止される。このエンジン自動停止の後に、前記ロックレバーがロック解除位置に切り換えられると、油圧回路が作動可能な状態になるとともに、エンジンが自動的に始動される。
【発明の開示】
【発明が解決しようとする課題】
【０００６】
しかしながら、特許文献１に開示された作業車両では、操作レバーの操作でエンジンが自動的に再始動した時、その操作レバーに応答して作業車両が不意に動きだす虞があるという問題点がある。特許文献２に開示された建設機械では、オペレータが操作レバーを操作しながらロックレバーのロック解除操作を行った場合、ロック解除操作によりエンジンが再始動したとき、同時に油圧回路が作動を開始して、操作レバーに応答して建設機械を不意に動かす虞があるという問題点がある。【０００７】
従って、本発明の目的は、アイドリングストップ制御機能を備える作業車両において、アイドリングストップ制御によるエンジン自動停止の後にエンジンを再始動する際、作業車両が不意に動きだすことを防止することにある。
【課題を解決するための手段】
【０００８】
本発明に従う作業車両は、エンジンと、前記エンジンにより駆動される油圧回路と、前記油圧回路により駆動される油圧作動部と、前記油圧作動部を動かすための操作指令信号を出力する操作装置と、前記エンジン、前記油圧回路及び前記操作装置に接続され、前記エンジンがアイドリング運転状態にあるときに前記エンジンを停止させるアイドリングストップ制御と、前記アイドリングストップ制御により前記エンジンを停止させた後に前記エンジンを再始動するエンジン再始動制御とを行う制御装置とを備える。前記制御装置は、前記アイドリングストップ制御により前記エンジンを停止させた後に前記エンジン再始動制御を行う場合、前記エンジンを再始動する前に前記油圧回路を作動不能な状態にし、その後、前記油圧回路が作動不能な状態にあるとき、所定のトリガ信号を受けて前記エンジンを再始動し、前記エンジンを再始動した後、前記操作装置から前記操作指令信号が入力されていないときに、前記油圧回路を作動可能な状態に復帰させる。【０００９】
エンジンが停止した後、油圧回路が作動不能な状態にされ、その後にエンジンが再始動され、その後に油圧回路が作動可能な状態に回復される。そのため、エンジンが再始動されるときには、油圧回路は作動不能であり、油圧作動部が動くことができないから、作業機械の不意に動き出す虞がない。【００１０】
好適な実施形態では、作業機械には、前記油圧回路についてのロック指示信号とロック解除指示信号を出力するロック装置が設けられる。そして、前記制御装置は、前記アイドリングストップ制御により前記エンジンを停止させた後、前記エンジンを再始動する前に、前記ロック装置からの前記ロック指示信号に応答して前記油圧回路を作動不能な状態にする。また、前記制御装置は、前記エンジンを再始動した後、前記操作装置から前記操作指令信号が入力されていないときに、前記ロック装置からの前記ロック解除指示信号に応答して前記油圧回路の作動可能な状態に復帰させる。したがって、エンジンが停止した後、ロック装置により油圧回路をロックして作動不能状態にしない限り、エンジンの再始動が行われない。また、エンジンが再始動した後は、油圧作動部を動かすための何らかの操作指令信号が操作装置から出力されている限り、ロック装置でロック解除を指示しても、油圧回路は作動可能な状態に復帰しない。【００１１】
好適な実施形態では、前記所定のトリガ信号として、前記操作装置からの所定の操作指令信号が用いられる。したがって、前記エンジンを停止した後、操作装置からの所定の操作指令信号が出力されると、エンジンが自動的に再起動する。【００１２】
好適な実施形態では、作業車両は、前記油圧回路を制御するためのパイロット圧油の圧力を制御するパイロット圧制御装置を備える。そして、前記制御装置は、前記パイロット圧制御装置を制御して、前記パイロット圧油の圧力を所定の作動閾値より下げることにより前記油圧回路を作動不能な状態にし、また、前記パイロット圧油の圧力を前記作動閾値より上げることにより前記油圧回路を作動可能な状態に復帰させる。さらに、前記制御装置は、前記油圧回路を作動可能な状態に復帰させる場合には、前記パイロット圧油の圧力を漸次に上昇させる。この漸次の増圧制御により、前記油圧回路が作動可能な状態に復帰するとき、油圧作動部が急激に動作を開始することが回避される。【００１３】
好適な実施形態では、作業車両には、警音又は警報を前記作業車両の外部へ出力する警報装置が備えられる。そして、前記制御装置は、前記油圧回路が作動不能な状態にあるときに前記トリガ信号を受けた場合、前記警報装置から警音又は警報が出力された後に、前記エンジンを再始動する。したがって、エンジンがこれから再始動することを、作業車両の外部の人々に知らせて、それらの人々に安全確保のための注意を喚起することができる。
【発明の効果】
【００１４】
本発明によれば、アイドリングストップ制御によるエンジン自動停止の後にエンジンを再始動する際、作業車両が不意に動きだすことが防止される。
【図面の簡単な説明】
【００１５】
【図１】本発明の第１の実施形態に係る油圧ショベルの側面図。
【図２】第１の実施形態に係る油圧ショベルの駆動制御システムの全体的な概略構成を示す図。
【図３】第１の実施形態におけるアイドリングストップ制御とエンジン再始動制御の処理手順を説明するフローチャート。
【図４】第１の実施形態におけるエンジン再起動直後のパイロット元圧の昇圧カーブを示す図。
【図５】本発明の第２の実施形態に係る油圧ショベルの駆動制御システムの全体的な概略構成を示す図。
【図６】第２の実施形態におけるアイドリングストップ制御とエンジン再始動制御の処理手順を説明するフローチャート。
【図７】第２の実施形態におけるエンジン再起動直後のパイロット元圧の昇圧カーブを示す図。
【符号の説明】
【００１６】
１            油圧ショベル
２ａ          走行用油圧モータ
３ａ          旋回用油圧モータ
１０          ブームシリンダ
１１          アームシリンダ
１２          バケットシリンダ
１３，１４    作業機操作レバー
１５          走行操作レバー
１６          エンジン
１７          油圧ポンプ
１８，６１    操作弁集合体
１９          油圧作動部
２０          油圧回路
２１          コントローラ
２１ａ        第１のレバー操作判別部
２１ｃ        第２のレバー操作判別部
２１ｄ        ロックレバー操作位置判別部
２７          エンジン制御装置
２８          エンジン始動装置
３３          パイロットポンプ
３５，３６，３９，５５，５６，５９            操作部
３７，３８，４０                              減圧弁
４２，５１，５２，５３，５４，５７，５８      ポテンショメータ
４３          ロックレバー
４６          電磁比例圧力制御弁
６０          レバー操作判別部
６２ａ        比例電磁操作部
【発明を実施するための最良の形態】
【００１７】
次に、本発明による作業車両の具体的な実施の形態について、図面を参照しつつ説明する。なお、本実施形態は、作業車両として油圧ショベルに本発明が適用された例であるが、本発明が他の種々の作業車両、例えばブルドーザ、ダンプトラック、クレーン、フォークリフトなどにも適用できることは言うまでもない。【００１８】
〔第１の実施形態〕
図１には、本発明の第１の実施形態に係る油圧ショベルの側面図が示されている。また、図２には、この油圧ショベルの駆動制御システムの全体的な概略構成が示されている。【００１９】
本実施形態の油圧ショベル１は、図１に示されるように、走行用油圧モータ２ａにより駆動される走行装置２ｂを有する下部走行体２と、旋回用油圧モータ３ａにより駆動される旋回装置３と、この旋回装置３を介して前記下部走行体２上に配される上部旋回体４と、この上部旋回体４の前部中央位置に取着される作業機５と、その上部旋回体４の前部左方位置に設けられる運転室６を備える。ここで、作業機５は、上部旋回体４に揺動可能に連結されたブーム７、ブーム７に揺動可能に連結されたアーム８、およびアーム８に揺動可能に連結されたバケット９を有する。作業機５は、さらに、ブーム７、アーム８およびバケット９をそれぞれ動かすための油圧シリンダ、すなわちブームシリンダ１０、アームシリンダ１１およびバケットシリンダ１２を有する。また、運転室６内の運転席（図示省略）の両側には、上部旋回体４の旋回動作および作業機５の屈伸及び上げ下げ動作を操作する作業機操作レバー１３，１４（図２参照）が配置されるとともに、同運転席の前方には、下部走行体２の走行動作を操作する一対の走行操作レバー１５，１５（図２参照）が配置されている。【００２０】
この油圧ショベル１の駆動制御システムは、図２に示されるように、油圧回路２０を有し、そこでは、エンジン１６により駆動される油圧ポンプ１７から吐出される作動圧油が操作弁集合体１８を通じて油圧作動部１９に供給される。ここで、油圧作動部１９は、上述したブームシリンダ１０、アームシリンダ１１、バケットシリンダ１２、走行用油圧モータ２ａ及び旋回用油圧モータ３ａなどの各種の油圧アクチュエータを、纏めて１ブロックで図示したものである。操作弁集合体１８は、それら油圧アクチュエータにそれぞれ対応した油圧パイロット操作式方向制御弁３４，・・，３４の集合体である。この油圧回路２０が作動することにより、作業機５の屈伸及び上げ下げ動作、上部旋回体４の旋回動作、および下部走行体２の走行動作がそれぞれ行われるようになっている。また、この駆動制御システムは、コントローラ２１を有し、このコントローラ２１は例えばコンピュータであって、図示は省略するが、所定の制御プログラムを実行することによりアイドリングストップ制御やエンジン再始動制御やその他の制御のための演算処理を行う中央演算処理部、前記制御プログラム並びに演算処理に使用される各種テーブルや設定条件データ等を記憶する記憶装置、及び以下に説明される各種の信号を入出力する入出力装置などを有する。【００２１】
エンジン１６は例えばディーゼル式のエンジンであり、このエンジン１６には、燃料噴射ポンプ２２とガバナ２３とが併設される。ガバナ２３の燃料コントロールレバー２３ａが、ガバナ駆動モータ２４にて駆動されるようになっている。燃料コントロールレバー２３ａの駆動位置は、ポテンショメータ２５により検出され、その検出信号がコントローラ２１に入力されるようになっている。さらに、エンジン１６のスロットル位置（エンジン回転数）を設定するために図示省略される燃料ダイヤルが設けられ、この燃料ダイヤルに付設されるポテンショメータ（図示省略）からのスロットル信号（設定回転数信号）が、コントローラ２１に入力されるようになっている。また、エンジン１６の実回転数は回転数センサ２６にて検出され、その検出信号もコントローラ２１に入力されるようになっている。【００２２】
本実施形態においては、主にコントローラ２１、ガバナ２３、ガバナ駆動モータ２４、ポテンショメータ２５および燃料ダイヤルから、エンジン制御装置２７が構成されている。このエンジン制御装置２７において、コントローラ２１は、上述した燃料ダイヤルにより入力されるスロットル信号（設定回転数信号）と、回転数センサ２６にて検出されるエンジン１６の実際の回転数信号との間の偏差信号を生成し、その偏差信号に対し所定の関数関係を満足する電圧レベルをもつ駆動信号を発生し、この駆動信号に基づきガバナ駆動モータ２４を駆動する。【００２３】
ここで、一例として、燃料ダイヤルが最大位置（ＦＵＬＬ位置）にセットされているとすると、その燃料ダイヤルに付設のポテンショメータから出力されるスロットル信号は最大設定回転数を示しており、コントローラ２１はその最大設定回転数に対応するモータ駆動信号をガバナ駆動モータ２４に加える。これにより、ガバナ駆動モータ２４は、最高速レギュレーションラインが設定されるように燃料コントロールレバー２３ａを作動させ、その結果、エンジン１６の出力馬力およびエンジン回転数が自動設定される。別の例として、コントローラ２１からガバナ駆動モータ２４に対してエンジン停止指令に対応するモータ駆動信号が加えられたとすると、ガバナ駆動モータ２４は、燃料噴射ポンプ２２による燃料噴射が無噴射となるように、燃料コントロールレバー２３ａを作動させ、これによりエンジン１６の運転が停止される。【００２４】
さらに、エンジン１６には、そのエンジン１６を始動するためのエンジン始動装置２８が付設されている。このエンジン始動装置２８は、スタータ２９、スタータスイッチ３０、バッテリ３１、バッテリリレー３２、それら機器を接続する配線等をから構成されている。このエンジン始動装置２８においては、オペレータがスタータスイッチ３０を操作してこれを始動位置にすると、スタータ２９へ始動信号が流れるとともに、バッテリ３１からの電力がバッテリリレー３２を介してスタータ２９に供給され、これによりスタータ２９がエンジン１６を駆動してエンジン１６が始動されるようになっている。また、コントローラ２１からスタータ２９へ向けて始動信号が流れた場合にも同様に、スタータ２９がエンジン１６を駆動してエンジン１６が始動されるようになっている。【００２５】
前記油圧ポンプ１７は例えば可変容量型の油圧ポンプであり、この油圧ポンプ１７には、前記エンジン１６により駆動されてパイロット圧油を吐出するパイロットポンプ（パイロット圧油発生装置）３３が連設されている。一方、前記操作弁集合体１８は、前記したように、油圧作動部１９に含まれる種々の油圧アクチュエータ（走行用油圧モータ２ａ、旋回用油圧モータ３ａ、ブームシリンダ１０、アームシリンダ１１及びバケットシリンダ１２など）に対応して設けられる油圧パイロット操作式方向制御弁３４，…，３４の集合体である。後述する減圧弁３７，３８，４０から出力される種々のパイロット圧油が上記方向制御弁３４，…，３４へ供給されることにより、作業機５、上部旋回体４及び下部走行体２を動かすための各種の油路切換動作が行われるようになっている。【００２６】
前記作業機操作レバー１３，１４には、各種レバー操作に対応する各種操作指令を出力する操作部３５，３６を介して、減圧弁（パイロット圧油調圧出力装置）３７，３８が付設されている。前記走行操作レバー１５，１５にも同様に、各種レバー操作に対応する各種操作指令を出力する操作部３９を介して、減圧弁（パイロット圧油調圧出力装置）４０が付設されている。減圧弁３７，３８，４０には、前記パイロットポンプ３３から吐出されるパイロット圧油が、後述する電磁比例圧力制御弁４６を介して供給される。減圧弁３７，３８，４０は、供給されたパイロット圧油を操作部３５，３６，１５，１５からの各種操作指令に基づいて調圧し、調圧された各種のパイロット圧油を操作弁集合体１８に向けて出力する。そして、減圧弁３７，３８，４０から出力された各種のパイロット圧油は、前記操作弁集合体１８における対応するパイロット圧油入力ポートに入力され、これによって、上述した各種の油路切換動作が行われる。その結果、作業機操作レバー１３，１４の操作により、上部旋回体４の旋回動作と作業機５の屈伸及び上げ下げ動作とが行われ、また、走行操作レバー１５，１５の操作により、下部走行体２の走行動作が行われることになる。【００２７】
また、作業機操作レバー１３，１４および走行操作レバー１５，１５のそれぞれの操作状態を示す操作信号が、減圧弁３７，３８，４０に付設される油圧スイッチ４１，・・・，４１を介して、コントローラ２１に入力されるようになっている。本実施形態において、コントローラ２１に入力される上記操作信号には、例えば以下に述べる１２種類がある。
（１）上部旋回体４の右旋回動作に対応する右旋回操作信号
（２）上部旋回体４の左旋回動作に対応する左旋回操作信号
（３）ブーム７の上げ動作に対応するブーム上げ操作信号
（４）ブーム７の下げ動作に対応するブーム下げ操作信号
（５）アーム８を前方に送り出す動作に対応するアームダンプ操作信号
（６）アーム８を手前に引き込む動作に対応するアーム掘削操作信号
（７）バケット９を前方に送り出す動作に対応するバケットダンプ操作信号
（８）バケット９を手前に引き込む動作に対応するバケット掘削操作信号
（９）下部走行体２の右前進走行動作に対応する右前進走行操作信号
（１０）下部走行体２の右後進走行動作に対応する右後進走行操作信号
（１１）下部走行体２の左前進走行動作に対応する左前進走行操作信号
（１２）下部走行体２の左後進走行動作に対応する左後進走行操作信号【００２８】
コントローラ２１は、一つの機能として、第１のレバー操作判別部２１ａを有する。第１のレバー操作判別部２１ａは、入力された上記（１）〜（１２）の操作信号に基づいて、どのレバー操作が行われているかを判別する。コントローラ２１は、エンジン１６が動作している間、第１のレバー操作判別部２１ａにより、何らかのレバー操作の有無を判別する。コントローラ２１は、別の機能として、所定の時間長をカウントするタイマー２１ｂを有する。タイマー２１ｂによってカウントされる時間長には、運転室内に配置されたコントロールパネル（図示省略）から、オペレータが任意の時間長を設定することができるようになっている。コントローラ２１は、アイドリングストップ制御において、エンジン１６がアイドリング運転状態にある間、タイマー２１ｂにより上記所定時間長をカウントする。【００２９】
作業機操作レバー１３に結合された操作部３５には、作業機操作レバー１３の各種レバー操作のうち特定のレバー操作、例えばブーム上げ操作、が行われたか否かを示す電気信号つまりブーム上げ操作信号を出力するポテンショメータ４２が付設されている。このポテンショメータ４２からのブーム上げ操作信号がコントローラ２１に入力される。コントローラ２１は、また別の機能として、第２のレバー操作判別部２１ｃを有し、これは、ポテンショメータ４２から入力されるブーム上げ操作信号に基づいて、ブーム上げ操作が行われているか否かを判別する。コントローラ２１は、アイドリングストップ制御によりエンジン１６が停止された後のエンジン再始動制御において、第２のレバー操作判別部２１ｃにより、ブーム上げ操作の有無を判別する。なお、本実施形態では、「ブーム上げ操作」が前記特定のレバー操作として採用されているが、これは単なる例示であり、「ブーム上げ操作」以外のレバー操作が採用されても良い。【００３０】
運転室６内には、油圧回路２０の作動を禁止するロック位置と油圧回路２０の作動を許可するロック解除位置とを切り換えるロックレバー４３が設けられている。ロックレバー４３がロック解除位置にあるとき、ロックレバー４３により押されるリミットスイッチ４４からのＯＮ信号（ロック解除位置信号）が、コントローラ２１に入力されるようになっている。コントローラ２１は、さらにまた別の機能として、ロックレバー操作位置判別部２１ｄを有し、これは、リミットスイッチ４４から入力されるロック解除位置信号に基づいて、ロックレバー４４がロック位置又はロック解除位置のいずれにあるかを判別する。コントローラ２１は、アイドリングストップ制御によりエンジン１６が停止された後のエンジン再始動制御において、ロックレバー操作位置判別部２１ｄにより、ロックレバー４４の位置を判別する。【００３１】
前記パイロットポンプ３３と減圧弁３７，３８，４０とを接続するパイロット圧油供給管路４５には、電磁比例圧力制御弁（圧力制御装置）４６が設けられている。コントローラ２１から電磁比例圧力制御弁４６に入力される制御電流の大きさに比例して、パイロットポンプ３３から各減圧弁３７，３８，４０に供給されるパイロット圧油の圧力が制御される。【００３２】
圧力センサ４７が油圧ポンプ１７の吐出圧を検出する。圧力センサ４７からの圧力検出信号は、コントローラ２１に入力される。また、圧力センサ４８が、電磁比例圧力制御弁４６を経て減圧弁３７，３８，４０に供給されるパイロット圧油の圧力を検出する。圧力センサ４８からの圧力検出信号は、コントローラ２１に入力されて、後述されるパイロット元圧の制御においてフィードバック信号として用いられる。【００３３】
次に、コントローラ２１が制御プログラムを実行されることにより行なう、アイドリングストップ制御とエンジン再始動制御の処理手順について、図３のフローチャートを参照しつつ以下に説明する。図３において、ステップＳ１〜Ｓ４の制御はアイドリングストップ制御に相当し、ステップＳ５〜Ｓ１１の制御はエンジン再始動制御に対応する。【００３４】
図３に示すように、ステップＳ１で、コントローラ２１は、エンジン１６がアイドリング運転状態であるか否かを判断する。すなわち、コントローラ２１に対して前記（１）〜（１２）の操作信号のいずれかが入力されているとき、すなわち、作業機５、上部旋回体４及び下部走行体２のいずれかが動作しているときには、コントローラ２１は、エンジン１６がアイドリング運転状態でないと判断し、エンジン１６の運転を継続する（ステップＳ２）。一方、コントローラ２１に対して前記（１）〜（１２）の操作信号のいずれもが入力されていないとき、すなわち、作業機５、上部旋回体４及び下部走行体２のいずれもが動作していないときには、エンジン１６がアイドリング運転状態にあると判断される。【００３５】
前記ステップＳ１において、エンジン１６がアイドリング運転状態に入った判断したとき、コントローラ２１は、タイマー２１ｂによる所定時間（例えば数十秒程度）のカウントを開始し、以後、アイドリング運転状態が上記所定時間にわたり継続したか否かを判断する（Ｓ３）。その結果、アイドリング運転状態の継続時間が前記所定時間に達した場合、コントローラ２１は、ガバナ駆動モータ２４に対しエンジン停止指令に対応するモータ駆動信号を送信して、エンジン１６を停止させる（Ｓ４）。【００３６】
前記ステップＳ４にてエンジン１６が停止された後、コントローラ２１は、ロックレバー操作位置判別部２１ｄにより、リミットスイッチ４４からのロック解除位置信号の入力の有無に基づいて、ロックレバー４３の位置がロック位置又はロック解除位置のいずれにあるかを判別する（Ｓ５）。ステップＳ５において、ロックレバー４３の位置がロック解除位置にあると判別された場合には、コントローラ２１は待機する。他方、ステップＳ５において、ロックレバー４３の位置がロック位置にあると判別された場合には、コントローラ２１は、電磁比例圧力制御弁４６を通じて減圧弁３７，３８，４０に供給されるパイロット圧油の圧力（以下、「パイロット元圧」という）（Ｐｃ）が、操作弁集合体１８で各種の油路切換動作が行われ得る最低油圧(以下、操作弁集合体１８の「作動閾値」という）（Ｐｔ）よりも小さい所定値（Ｐａ）になるように、電磁比例圧力制御弁４６に制御電流を出力する（Ｓ６）。その結果、操作レバー１３，１４，１５が操作されても作業機５、上部旋回体４及び下部走行体２が駆動されなくなる。換言すれば、油圧回路２０の作動が禁止される。ただし、このときのパイロット元圧（Ｐｃ）の値（Ｐａ）は、減圧弁３７，３８，４０の出力に接続された油圧スイッチ４１，…，４１が作動可能な最低油圧(以下、油圧スイッチ４１，…，４１の「作動閾値」という）（Ｐｓ）よりも高い値であり、よって、操作レバー１３，１４，１５に対して行われる各種操作は、油圧スイッチ４１，…，４１により検出されてコントローラ２１に認識される。【００３７】
上述したステップＳ５及びＳ６でロックレバー４３のロック位置に応答して油圧回路２０の作動が禁止された場合にのみ、制御はステップＳ７へ進む。ステップＳ７で、コントローラ２１は、第２のレバー操作判別２１ｃにより、ポテンショメータ４２からのブーム上げ操作信号に基づいて、特定のレバー操作、すなわちブーム上げ操作に関わるレバー操作、が行われているか否かを判別する（Ｓ７）。ステップＳ７において、その特定のレバー操作が行われていると判別された場合には、コントローラ２１は、スタータ２９に対し始動信号を送信してエンジン１６を始動させる（Ｓ８）。このように特定のレバー操作に応答してエンジン１６が再始動されるとき、上述したステップＳ６により既に油圧回路２０の作動が禁止されている（Ｐｃ＜Ｐｔ）ので、特定のレバー操作に応答して操作弁集合体１８で対応する油路切換動作が行われることはない。したがって、エンジン再始動の際に油圧ショベル１が不意に動きだす虞がない。また、このとき、パイロット元圧（Ｐｃ）は油圧スイッチ４１，…，４１の作動閾値（Ｐｓ）よりは高い（Ｐｃ＝Ｐａ＞Ｐｓ）ので、コントローラ２１は、第１のレバー操作判別部２１ａにより、エンジン始動後における各種のレバー操作の有無を判別することができる。【００３８】
前記ステップＳ８にてエンジン１６を再始動した後、コントローラ２１は、第１のレバー操作判別部２１ａにより、油圧スイッチ４１，…，４１からの前記（１）〜（１２）の操作信号の有無に基づいて、全ての操作レバー１３，１４，１５，１５がニュートラルの位置にある（油圧ショベル１を動かすためのレバー操作は何も行われていない）か否かを判別する（Ｓ９）。ステップＳ９において、いずれかの操作レバー１３，１４，１５，１５がニュートラルの位置にない（油圧ショベル１を動かすための何らかのレバー操作が行われている）ことが判別された場合には、コントローラ２１は待機する。他方、ステップＳ９において、全ての操作レバー１３，１４，１５，１５がニュートラルの位置にあることが判別された場合には、コントローラ２１は、ロックレバー操作位置判別部２１ｄにより、リミットスイッチ４４からのロック解除位置信号の入力の有無に基づいて、ロックレバー４３がロック位置又はロック解除位置のいずれにあるかを判別する（Ｓ１０）。ステップＳ１０において、ロックレバー４３がロック位置にあると判別された場合には、コントローラ２１による制御はステップＳ９へ戻る。他方、ステップＳ１０において、ロックレバー４３がロック解除位置にあると判別された場合には、コントローラ２１は、電磁比例圧力制御弁４６に対して制御電流を出力して（Ｓ１１）、パイロット元圧（Ｐｃ）を図４に示されるようなカーブで上昇させる。これにより、図４に示されるように、パイロット元圧（Ｐｃ）は、上記所定値（Ｐａ）から操作弁集合体１８の作動閾値（Ｐｔ）にまで急上昇し、しかる後、その作動閾値（Ｐｔ）より高い最大設定圧値（Ｐｅ）にまでゆっくり漸次に上昇する。なお、このパイロット元圧（Ｐｃ）の昇圧動作は、エンジン１６の回転数が一定回転数以上で、かつパイロットポンプ３３の吐出圧が必要十分なレベルまで立ち上がった状態で行われる。このようなパイロット元圧（Ｐｃ）の上昇に伴い、操作弁集合体１８の状態は油路切換動作を行ない得る状態に移行する（つまり、油圧回路２０の状態が作動可能な状態に移行する）。よって、操作レバー１３，１４，１５，１５が操作されると、油圧ショベル１（油圧作動部１９）の動作が開始する。【００３９】
このように、エンジン再始動後は、全ての操作レバーがニュートラル位置にある（つまり、油圧ショベル１を動かすためのレバー操作は何も行われていない）場合にのみ、コントローラ２１は、ロックレバー４３のロック解除に応答して、パイロット元圧（Ｐｃ）を操作弁集合体１８の作動閾値（Ｐｔ）よりも高い最大設定圧値（Ｐｅ）にまで昇圧して、油圧回路２０を作動可能な状態に移行させる。従って、特定のレバー操作に応答してエンジン１６が再始動する時に油圧ショベル１（油圧作動部１９）が不意に動きだす虞はない。また、パイロット元圧（Ｐｃ）の前記作動閾値（Ｐｔ）から最大設定圧値（Ｐｅ）までの昇圧はゆっくり漸次に行われるので、ロック解除直後にどのようなレバー操作が行われても、油圧ショベル１（油圧作動部１９）は低速に動作を開始することになり、動作開始時における急激な高速動作が回避される。【００４０】
〔第２の実施形態〕
図５には、本発明の第２の実施形態に係る油圧ショベルの駆動制御システムの全体的な概略構成が示されている。なお、本実施形態において、第１の実施形態と同一または同様の要素については同一参照符号を付して、それについての重複した説明を省略し、以下においては、第１の実施形態と異なる部分を中心に説明する。油圧ショベルの基本構成は、図１を参照して既に説明したとおりである。【００４１】
本実施形態においては、操作部５５、５６が、作業機操作レバー１３，１４の各種レバー操作に対応する各種操作指令を、ポテンショメータ５１，５２，５３，５４により電気信号（操作信号）に変換して、コントローラ２１に出力する。また、操作部５９が、走行操作レバー１５、１５の各種レバー操作に対応する各種操作指令を、ポテンショメータ５７、５８により電気信号（操作信号）に変換して、コントローラ２１に出力する。コントローラ２１は、レバー操作判別部６０を有し、これは、入力された各種の操作信号に基づいて、各種レバー操作が行われているか否かを判別する。コントローラ２１に入力される操作信号の種類としては、例えば上述した（１）〜（１２）の操作信号がある。【００４２】
また、操作弁集合体６１が、油圧ポンプ１７から吐出される作動圧油の油圧作動部１９への供給を制御する。操作弁集合体６１が、油圧作動部１９のそれぞれの油圧アクチュエータ（走行用油圧モータ２ａ、旋回用油圧モータ３ａ、ブームシリンダ１０、アームシリンダ１１、バケットシリンダ１２）に対応して設けられる複数の電磁・油圧パイロット操作式方向制御弁６２の集合体である。各電磁・油圧パイロット操作式方向制御弁６２は、比例電磁操作部６２ａと油圧パイロット操作部６２ｂとを備える。上述したポテンショメータ５１，５２，５３，５４，５７，５８からの何れかの操作信号がコントローラ２１に入力されたとき、コントローラ２１は、その入力された操作信号に基づく操作用電流を、対応する方向制御弁６２の比例電磁操作部６２ａに出力する。また、各操作弁６２では、比例電磁操作部６２ａが、パイロットポンプ３３から供給されるパイロット圧油をコントローラ２１からの操作用電流に比例して調圧し、調圧されたパイロット圧油が油圧パイロット操作部６２ｂに出力され、そして、その油圧パイロット操作部６２ｂに出力されたるパイロット圧油に応じて、対応する油圧アクチュエータを制御するための所定の油路切換動作が行われる。【００４３】
次に、コントローラ２１により行われるアイドリングストップ制御とエンジン再始動制御の処理手順について、図６のフローチャートを参照しつつ説明する。図６において、ステップＲ１〜Ｒ４がアイドリングストップ制御に相当し、ステップＲ５〜Ｒ１１がエンジン再始動制御に相当する。【００４４】
図６に示すように、ステップＲ１で、コントローラ２１は、前記（１）〜（１２）の各種操作信号の有無に基づいて、エンジン１６がアイドリング運転状態であるか否かを判断する。コントローラ２１は、前記（１）〜（１２）の各種操作信号のいずれかが入力されているときには、エンジン１６がアイドリング運転状態にないと判断し、ステップＲ２でエンジン１６の運転を継続する。一方、コントローラ２１は、前記（１）〜（１２）の各種操作信号のいずれもが入力されていないときには、エンジン１６がアイドリング運転状態にあると判断する。【００４５】
前記ステップＲ１において、エンジン１６がアイドリング運転状態に入ったとき、コントローラ２１は、ステップＲ３で、タイマー２１ｂにより所定時間（例えば数十秒程度）のカウントを開始して、以後、アイドリング運転状態が所定時間にわたり継続したたか否かを判断する。タイマー２１ｂによるカウント値が前記所定時間を超えていない場合には、コントローラ２１は、エンジン１６の運転を継続する（Ｒ２）。一方、タイマー２１ｂによるカウント値前記所定時間に達したとき、コントローラ２１は、ステップＲ４で、ガバナ駆動モータ２４に対しエンジン停止指令に対応するモータ駆動信号を送信し、エンジン１６を停止させる。【００４６】
前記ステップＲ４にてエンジン１６が停止された後、コントローラ２１は、ロックレバー操作位置判別部２１ｄにより、リミットスイッチ４４からのロック解除位置信号の入力の有無に基づいて、ロックレバー４３がロック位置又はロック解除位置のいずれにあるかを判別する（Ｒ５）。ステップＲ５において、ロックレバー４３がロック解除位置にあると判別された場合には、コントローラ２１は待機する。他方、ステップＲ５において、ロックレバー４３がロック位置にあると判別された場合には、コントローラ２１は、電磁比例圧力制御弁４６に出力される制御電流の値をゼロにする（Ｒ６）。ステップＲ６により、パイロットポンプ３３から電磁比例圧力制御弁４６を通じて各電磁・油圧パイロット操作式方向制御弁６２に供給されるパイロット圧油の圧力（以下、「パイロット元圧」という）（Ｐｃ）がゼロになり、よって、油圧回路２０は油圧作動部１９のいずれの油圧アクチュエータも駆動することができなくなる。【００４７】
その後、コントローラ２１は、ポテンショメータ５１，５２，５３，５４，５７，５８からの操作信号の有無に基づいて、油圧ショベル１を動かすための各種レバー操作のうちのいずれかが行われているか否かを判別する（Ｒ７）。ステップＲ７において、いずれかのレバー操作が行われていると判別された場合には、コントローラ２１は、スタータ２９に対し始動信号を送信してエンジン１６を始動させる（Ｒ８）。このように、アイドリングストップ制御によりエンジン１６が自動的に停止した後、作業機操作レバー１３，１４又は走行操作レバー１５、１５に何らかの操作が行われると、エンジンが自動的に再始動される。しかし、このとき前述のステップＲ６により既に、パイロット元圧（Ｐｃ）がゼロに制御されて、操作弁集合体６１の油路切換動作が行ない得ないようになっている。したがって、エンジン１６が再始動しても、油圧ショベル１（油圧作動部１９）が不意に動きだす虞がない。【００４８】
前記ステップＲ８にてエンジン１６が再始動された後、コントローラ２１は、ポテンショメータ５１，５２，５３，５４，５７，５８からの前記（１）〜（１２）の操作信号の有無に基づいて、作業機操作レバー１３，１４及び走行操作レバー１５、１５の全てがニュートラル位置にある（つまり、油圧ショベル１を動かすためのレバー操作は何も行われていない）か否かを判別する（Ｒ９）。ステップＲ９において、操作レバー１３，１４，１５、１５の何れかがニュートラル位置にない（つまり、油圧ショベル１を動かすための何らかのレバー操作が行われている）と判別された場合、コントローラ２１は待機する。このとき、上述したとおり、パイロット元圧（Ｐｃ）がゼロに制御されているので、如何なるレバー操作が行われても油圧ショベル１は静止したままである。ステップＲ９において、全ての操作レバー１３，１４，１５、１５がニュートラル位置にあることが判別された場合、コントローラ２１は、リミットスイッチ４４からのロック解除位置信号の入力の有無に基づいて、ロックレバー操作位置判別部２１ｄにより、ロックレバー４３がロック位置又はロック解除位置のいずれにあるかを判別する（Ｒ１０）。ステップＲ１０において、ロックレバー４３がロック位置にあると判別された場合には、コントローラ２１による制御はステップＲ９へ戻る。他方、ステップＲ１０において、ロックレバー４３がロック解除位置の状態にあると判別された場合には、コントローラ２１は、パイロット元圧（Ｐｃ）が図７に示されるカーブに沿って上昇するよう、制御電流を電磁比例圧力制御弁４６に対して出力する（Ｒ１１）。これにより、図７に示すように、パイロット元圧（Ｐｃ）はゼロから、操作弁集合体１８の油路切換動作が行われ得る最低油圧（以下、操作弁集合体１８の「作動閾値」という）（Ｐｔ）にまで短時間で上昇し、しかる後その作動閾値（Ｐｔ）よりも高い最大設定圧値（Ｐｅ）にまでゆっくり漸増する。なお、このパイロット元圧の昇圧動作は、エンジン１６の回転数が一定回転数以上で、かつパイロットポンプの吐出圧が必要十分に立ち上がった状態で行われる。このパイロット元圧（Ｐｃ）の上昇の結果、操作弁集合体６１の油路切換動作が行われ得るようになり、よって、油圧ショベル１（油圧作動部１９）が動くことができるようになる。【００４９】
このように、エンジン再始動後は、全ての操作レバー１３，１４，１５、１５がニュートラル位置操作にある（つまり、油圧ショベル１を動かすためのレバー操作が全く行われていない）場合にのみ、コントローラ２１は、ロックレバー４３のロック解除操作に応答して、油圧回路２０を作動不能な状態から作動可能な状態へ移行させる。したがって、ロック解除操作により油圧回路２０が作動可能状態になったとき、油圧ショベル１（油圧作動部１９）が不意に動きだす虞がない。また、パイロット元圧（Ｐｃ）は前記作動閾値（Ｐｔ）から最大設定圧値（Ｐｅ）にまでゆっくり漸次に昇圧されるので、ロック解除直後にどのようなレバー操作が行われても、油圧ショベル１（油圧作動部１９）は低速に動作を開始することになり、動作開始時における急激な高速動作が回避される。操作レバー１３，１４，１５、１５がどのように操作されても、油圧作動部１９は低速で動作を開始し、動作開始時における急激な高速動作が回避される。【００５０】
なお、変形例として、前述の第１の実施形態において、図３のフローチャートに示されるステップＳ６とステップＳ７との間に、或いは、上述の第２の実施形態において、図６のフローチャートに示されるステップＲ６とステップＲ７との間に、オペレータが油圧ショベル１の警音器（図示せず）を鳴らしたか否かをチェックするステップを行ない、警音器が事前に鳴らされない限りエンジン１６を再始動しないように制御してもよい。或いは、別法として、エンジン再始動前に自動的に警音器を鳴らすか又はその他の適当な警報方法を用いて、油圧ショベル１の外部の近くに居る人々や油圧ショベル１に搭乗しているオペレータに、これからエンジン再始動動作が行われることを自動的に通知するようにしてもよい。これらの変形例によれば、エンジン再起動の直前に油圧ショベル１の内外に警音又は警報を出力することで、油圧ショベル１の近くに居る人々又は油圧ショベル１に搭乗しているオペレータにエンジン再起動に備えて安全確保のための注意を喚起することができる。【００５１】
以上、本発明の実施形態を説明したが、この実施形態は本発明の説明のための例示にすぎず、本発明の範囲をこの実施形態にのみ限定する趣旨ではない。本発明は、その要旨を逸脱することなく、その他の様々な態様でも実施することができる。
【図１】
0004271685.tif 000002
【図２】
0004271685.tif 000003
【図３】
0004271685.tif 000004
【図４】
0004271685.tif 000005
【図５】
0004271685.tif 000006
【図６】
0004271685.tif 000007
【図７】
0004271685.tif 000008